(57)【要約】【課題】筆記具クリップへの装飾片の組み付けが容易であり、小回りの利く在庫管理を可能とする筆記具クリップを提供する。【解決手段】クリップ本体２と装飾片４を有する組合せ筆記具クリップにおいて、クリップ本体２は軸筒１に接する下面側の後端側に第１の穴２ａを、下面側の前端側に第２の穴２ｂをそれぞれ備え、上記第１及び第２の穴２ａ、２ｂは、それぞれ上記クリップ本体２の上面と略平行な底面２ｇ、２ｈと、該底面部に略垂直な内壁面２ｃ、２ｄを有しており、細長い平板形状を有する上記装飾片４の第１の端部４ａを上記第１の穴２ａに、上記装飾片４の第２の端部４ｂを上記第２の穴２ｂにそれぞれ挿入し、上記装飾片４を、両端部の平面部を各穴２ａ、２ｂの上記底面２ｇ、２ｈに当接させ、両端部の側面を上記内壁面２ｃ、２ｄに当接させて上記クリップ本体２の内部に固定する。【選択図】図７
2011020324.tif 000002
【特許請求の範囲】
【請求項１】
クリップ本体と装飾片を有する組合せ筆記具クリップにおいて、
クリップ本体は軸筒に接する下面側の後端側に第１の穴を、下面側の前端側に第２の穴をそれぞれ備え、
上記第１及び第２の穴は、それぞれ上記クリップ本体の上面と略平行な底面と、該底面部に略垂直な内壁面を有しており、
細長い平板形状を有する上記装飾片の第１の端部を上記第１の穴に、上記装飾片の第２の端部を上記第２の穴にそれぞれ挿入し、上記装飾片を、両端部の平面部をそれぞれ各穴の上記底面に当接させ、両端部の側面をそれぞれ上記内壁面に当接させて上記クリップ本体の内部に固定する
ことを特徴とする筆記具クリップ。
【請求項２】
上記装飾片は弾性作用を有する材料で構成され、弾性作用を利用してクリップ本体に挿入する請求項１に記載の筆記具クリップ。
【請求項３】
上記クリップ本体の第１及び第２の穴は、それぞれ上記クリップ本体の上記下面から上記上面に貫通している請求項２に記載の筆記具クリップ。
【請求項４】
上記クリップ本体の第１及び第２の穴は、それぞれ異なる大きさである請求項３に記載の筆記具クリップ。
【請求項５】
上記クリップ本体には、軸方向にスライドして繰り出すノック式筆記具のノック棒に取り付けるスライド溝が形成されている請求項４に記載の筆記具クリップ。
【請求項６】
請求項１〜５に記載の筆記具クリップのクリップ本体に平板状の装飾片を組み付ける方法であって、
上記装飾片の上記第１の端部を、上記クリップ本体の上記第１の穴に挿入するステップと、
上記装飾片の上記第２の端部を、上記クリップ本体の上記第２の穴に挿入するステップと、
上記装飾片をスライドさせて、上記第２の端部を上記第２の穴の上記内壁に当接させるステップと、を備える
ことを特徴とする筆記具クリップの組み付け方法。
【発明の詳細な説明】
【技術分野】
【０００１】
本発明は筆記具を衣服のポケット等に固定するためのクリップに関する。
【背景技術】
【０００２】
筆記具クリップの下面には、玉部と呼ばれる突起が設けられている。玉部は筆記具クリップ本来の機能を果たす部分であり、軸筒との間に紙や衣服等を挟み込む機能を果たす。
筆記具がクリップの部分で衣服のポケット等の縁に挿しこまれると、この玉部が持ち上げられ、クリップの弾性による反発力によりクリップを閉じる方向の力が発生するため、玉部と対応する部分の軸筒との間にポケット等の布をしっかりと保持する。
【０００３】
この状態の筆記具クリップではクリップの上面が人目につくため、この部分のデザイン性が問題となり、またこのスペースは商標の表記その他の記載用に利用されるため、デザインや文字等が印刷された装飾片をクリップに挿入する方法や、クリップ本体に直接印刷する方法など種々の試みがなされている。
【０００４】
従来、筆記具クリップのクリップ本体と装飾片の取付け方式として、特許文献１のようなインサート成形によるものや、特許文献２のようなスライド取付け方式によるものが知られている。
【０００５】
特許文献１のクリップは、インサート成形により樹脂クリップに金属片を内包させることで、クリップと金属片の組み付け工程が不要となり、クリップ強度の補強ができ、装飾面でも外観の向上が図れるという効果がある。
また、特許文献２のクリップは、装飾片をスライドによりクリップ本体に挿入して取り付ける方式であって簡易な取り付けが行えるという効果がある。
【先行技術文献】
【特許文献】
【０００６】
【特許文献１】特開２００１−１２１８８３号公報
【特許文献２】実開平４−１３３９１号公報
【発明の概要】
【発明が解決しようとする課題】
【０００７】
しかしながら、特許文献１のクリップには以下の問題点があった。すなわち、インサート成形の場合、内包可能な装飾片は樹脂クリップの成形温度で変形しない材料に限定されてしまうという問題である。したがって、特許文献１においても装飾片は金属片に限定されている。さらにインサート成形の場合は、クリップが金属片を内包した形態での在庫管理となるため、不良発生時の対応、具体的には金型トラブルの発生時等の対応に時間がかかる。また、別注文品の対応、すなわち装飾片に記載する内容の変更があった場合の対応にも小回りが利きにくい。
特許文献２のクリップには、使用を続けていると装飾体の表面が浮き上がる可能性があり、また、装飾片には抜け防止用の矢尻形状が施されており、組み付けにおいて装飾片を手で奥まで挿入する作業が困難であるという問題点があった。
【０００８】
本発明は、上記課題を解決して筆記具クリップへの装飾片の組み付けが容易であり、小回りの利く在庫管理を可能とする筆記具クリップを提供することを課題とする。
【課題を解決するための手段】
【０００９】
上記課題を解決するために、請求項１の発明は、クリップ本体と装飾片を有する組合せ筆記具クリップにおいて、クリップ本体は軸筒に接する下面側の後端側に第１の穴を、下面側の前端側に第２の穴をそれぞれ備え、上記第１及び第２の穴は、それぞれ上記クリップ本体の上面と略平行な底面と、該底面部に略垂直な内壁面を有しており、細長い平板形状を有する上記装飾片の第１の端部を上記第１の穴に、上記装飾片の第２の端部を上記第２の穴にそれぞれ挿入し、上記装飾片を、両端部の平面部をそれぞれ各穴の上記底面に当接させ、両端部の側面をそれぞれ上記内壁面に当接させて上記クリップの内部に固定することを特徴とする。これにより、装飾片をクリップ内部に容易に挿入、固定できる筆記具クリップとすることができる。
請求項２の発明は、さらに、上記装飾片は弾性作用を有する材料で構成され、弾性作用を利用してクリップ本体に挿入することを特徴とする。これにより、筆記具クリップへの装飾片の挿入をより容易に行うことができる。
請求項３の発明は、さらに、上記クリップ本体の第１及び第２の穴は、それぞれ上記クリップ本体の上記下面から上記上面に貫通していることを特徴とする。これにより筆記具クリップへの装飾片の挿入をさらに容易に行うことができる。
請求項４の発明は、さらに、上記クリップ本体の第１及び第２の穴は、それぞれ異なる大きさであることを特徴とする。これにより、装飾片の挿入方向を取り違えることのない筆記具クリップとすることができる。
請求項５の発明は、さらに、上記クリップ本体には、軸方向にスライドして繰り出すノック式筆記具のノック棒に取り付けるスライド溝が形成されていることを特徴とする。これにより、装飾片の挿入がより確実に行える筆記具クリップとすることができる。
請求項６の発明は、請求項１〜５に記載の筆記具クリップのクリップ本体に平板状の装飾片を組み付ける方法であって、上記装飾片の上記第１の端部を、上記クリップ本体の上記第１の穴に挿入するステップと、上記装飾片の上記第２の端部を、上記クリップ本体の上記第２の穴に挿入するステップと、上記装飾片をスライドさせて、上記第２の端部を上記第２の穴の上記内壁に当接させるステップと、を備えることを特徴とする。これにより、筆記具クリップへの装飾片の挿入を容易かつ確実に行うことができる。
【発明の効果】
【００１０】
本発明の筆記具クリップは、装飾片のクリップ本体への取付けが容易であり、その上固定力があって装飾片は容易にクリップ本体から外れない。また、装飾片がクリップ内に内在するため、装飾片の浮き、汚れ、傷の心配がない。
また、樹脂クリップと装飾片を別部品により在庫管理が容易であるため、特注品の対応など小回りが利きやすい。
さらに、装飾片は組み付けのため、装飾片が金属片であればクリップのクリープ強度のアップが可能となる。また、着色した金属片や金属片以外の樹脂片でも使用可能となり、多様な装飾が得られる。
【図面の簡単な説明】
【００１１】
【図１】本実施形態のクリップの組立図であり、（ａ）は斜視図、（ｂ）は正面図、（ｃ）は左側面図、（ｄ）は右側面図、（ｅ）は平面図、（ｆ）は裏面図である。
【図２】本実施形態のクリップの外形図であり、（ａ）は平面図、（ｂ）はＡ−Ａ断面図、（ｃ）はＢ−Ｂ断面図、（ｄ）はＣ−Ｃ断面図、（ｅ）はＤ−Ｄ断面図である。
【図３】他の実施形態のクリップの外形図であり、（ａ）は平面図、（ｂ）は裏面図である。
【図４】本実施形態の装飾片の外形図であり、（ａ）は平面図、（ｂ）は正面図である。
【図５】他の実施形態の装飾片の外形図であり、（ａ）は平面図、（ｂ）は正面図である。
【図６】本実施形態のノック棒の外形図であり、（ａ）は平面図、（ｂ）は正面図、（ｃ）は側面図、（ｄ）は裏面図である。
【図７】本発明の筆記具クリップの組み付け方法の一実施形態を示す連続した断面図である。
【図８】本発明の筆記具クリップの組み付け方法の他の実施形態を示す連続した断面図である。
【発明を実施するための形態】
【００１２】
次に、本発明の筆記具クリップの一実施形態について図を用いて説明する。
図１は、本実施形態の筆記具クリップの組立図である。符号１は軸筒、符号２はクリップ本体、符号１０は筆記具をそれぞれ示す。なお、クリップ本体２において、筆記具先端側を前部とする。
まず、本実施形態のクリップ本体２の構成について図２で説明する。
図２（ａ）は、クリップ本体２の上面図である。クリップ本体２の軸筒１の後端側に配設される方の端部には第１の取付け穴２ａが設けられている。これと反対側の端部には第２の取付け穴２ｂが設けられており、第１の取付け穴２ａのほうが第２の取付け穴２ｂよりも大きい穴となっている。これにより、図４及び５に示す装飾片４の組み付け方向を軸方向で取り違える事がないようにしたものである。すなわち、装飾片４は板状の金属片であって、第１の端部４ａの曲率半径Ｒ１と、第２の端部４ｂの曲率半径Ｒ２の大小関係はＲ２＜Ｒ１となっている。なお、本実施形態の取付け穴は、クリップ本体２の上下面を貫通するタイプの穴としているが、必ずしも取付け穴は貫通穴である必要はなく、クリップ本体２の下面側にのみ設けられていても良い。
【００１３】
ここで、クリップ本体２の材質としては、ＰＣ，ＡＢＳ、ＰＰ、ＰＯＭ、アクリル、ＰＥＴ、ＰＥ等の使用が可能である。また、装飾片４の材質としては、弾性を有する材料であれば特に問題はないが、挿入によりクリップ強度を上げる点では本実施形態のような金属が望ましい。
【００１４】
図２（ｂ）は、図２（ａ）のＡ−Ａ断面図である。図２（ａ）及び（ｂ）に示すように、本実施形態では第１の取付け穴２ａ、第２の取付け穴２ｂとも軸方向で外側の内壁２ｃ、２ｄは凹んだ略円筒状の内面となっている。これは、装飾片４の端部と対応させたものであり、上記クリップ本体２の第１及び第２の取付け穴２ａ、２ｂの大きさは装飾片４の第１及び第２の端部４ａ、４ｂの曲率半径Ｒ１、とＲ２に対応している。これは、装飾片が挿入位置にスムーズに挿入され、固定されるための形状である。
【００１５】
図２（ｃ）、（ｄ）及び（ｅ）は、それぞれ図２（ｂ）のＢ−Ｂ、Ｃ−Ｃ及びＤ−Ｄにおける断面図である。図２（ｅ）の第１の取付け穴２ａの底面２ｇと、図２（ｃ）の第２の取付け穴２ｂの底面２ｈは同一平面上に配設されており、装飾片４が挿入された状態で直線状に固定されるようになっている。また、これらの図に示すように、各断面は断面コ字形状の装飾片ガイド部を形成し、装飾片の挿入が容易に行える構成としている。
【００１６】
また、第１の取付け穴２ａの側のクリップ本体２の下面には、筆記具１０の本体と連結される基部２ｅが配設されている。基部２ｅは、軸筒１にスライド可能に取り付けられているノック棒３（図６参照）のクリップ取り付け用座３ａにスライド式に取り付けられる。これにより、クリップ本体２は筆記具１０の軸筒１に連結される。
さらに第２の取付け穴２ｂの側のクリップ２の下面には、玉部２ｆが配設されている。玉部２ｆは上述のように玉部２ｆと、該玉部２ｆと接している部分の軸筒１との間に紙や衣服等をしっかりと挟み込む機能を果たす。
【００１７】
次に、本筆記具クリップの組み付け方法の一実施形態について詳しく説明するとともに、装飾片４が組み付けられた状態のクリップ本体２について説明する。
図７（ａ）〜（ｄ）に組み付けの手順を示す。まず、装飾片４の端部４ａをクリップ本体２の大きい方の取付け穴２ａの内壁面２ｃに押し当てる（ａ）。次に、端部４ａを上記内壁面２ｃに押し当てたまま、装飾片４を屈曲させて、他方の端部４ｂをクリップ本体２の小さい方の取付け穴２ａに案内する（ｂ）。そして、そのまま端部４ｂを小さい方の取付け穴２ｂに挿入するとともに、大きい方の取付け穴２ａの内壁面２ｃへの押し付けを開放する（ｃ）。最後に、弾性によって直線状に復元する装飾片４が所定位置に収まるように調整する（ｄ）。
【００１８】
次に、組み付け方法の他の実施形態について図８（ａ）〜（ｄ）を用いて説明する。まず、装飾片の端部４ａをクリップ本体２の大きい方の取付け穴２ａに挿入するが、この際、装飾片の端部４ａを取付け穴の内壁面２ｃに押し当てるのではなく、内壁面２ｃの縁に装飾片の裏面を沿わせて端部４ａをクリップの上面側に突き出す（ａ）。次に、上記端部４ａを突き出したまま装飾片４を屈曲させて、端部４ａを引き戻しながら、端部４ｂをクリップ本体２の小さい方の取付け穴２ｂにあてがう（ｂ）。そして、端部４ａを押し戻すことで端部４ｂを小さい方の取付け穴２ｂに挿入する（ｃ）。そのまま端部４ａが大きい方の取付け穴２ａに納まるまで端部４ａを押し戻す（ｄ）。
【００１９】
次に、本発明の筆記具クリップの他の実施形態について説明する。
この実施形態では、図３に示すようにクリップ本体２の第１の取付け穴２ａの幅方向の両端側に突起２ｊが設けられている。２つの突起２ｊは、両端側から中央に向かってせり出して間隔Ｇで平行に伸びており、突起２ｊの上面が装飾片の係止する面（図２の２ｇ）と同一平面となる位置に配設される。さらに、この実施形態の装飾片４は、図５に示すように段差部４ｃを有している。そして、装飾片４の段差部４ｃより４ａ側の先端部分の幅寸法はＧより大であって、段差部４ｃより４ｂ側の部分の幅寸法はＧより小となっている。これによりこの実施形態の装飾片４は、クリップ本体２に挿入されると、上記先端部分が突起２ｊと干渉して脱落が防止されるため、たとえ使用時に落下等によりクリップ本体２が破損した場合でも装飾片４がクリップ本体２から外れて飛散することがなく、安全性の高いクリップとすることができる。なお、この実施形態の筆記具クリップでは上述の図８の方法で装飾片４とクリップ本体２を組み付けることになる。
【００２０】
上記方法により装飾片が組み付けられた本発明の筆記具クリップは、樹脂クリップに金属の装飾片が内包された状態で在庫管理がなされていた従来のインサート成形による方式に比べて樹脂クリップ内に容易に金属装飾片の組み付けが行えるため、樹脂クリップと金属の装飾片とを個別に在庫管理する事ができるようになり、小回りの効く在庫管理が可能となる。具体的には樹脂クリップと金属装飾片とを個別に保管できるため、金属装飾片の記載内容変更等への対応が容易となる。
【００２１】
また、従来の方式に比べて樹脂クリップと金属装飾片との組み付け時間も短縮され、コスト低減に繋がる。
さらに、樹脂クリップ内に印刷の容易な紙を挿入することも、従来の方式では困難であったが、本発明の筆記具クリップであれば、樹脂クリップと金属装飾片との間に紙を挟みこんで装着することで容易に行うことができる。あらかじめに金属装飾片上面に印刷した紙を接着剤で貼り付けておいても良い。このように、容易な工程でさらにデザイン性を向上させることができる。
【００２２】
上述した実施形態のクリップは、複数の筆記芯を有する複式筆記具であるが、前方にスライドして筆記芯を繰り出すことができるノック式筆記具や一般のボールペン等のクリップに使用することが可能である。
【符号の説明】
【００２３】
１    軸筒
２    クリップ本体
２ａ    第１の取付け穴
２ｂ    第２の取付け穴
２ｃ    第１の取付け穴の内壁面
２ｄ    第２の取付け穴の内壁面
２ｅ    取付け部
２ｆ    玉部
２ｇ    第１の取付け穴の底面
２ｈ    第２の取付け穴の底面
３    ノック棒
３ａ    クリップ取付け座
４    装飾片
４ａ    第１の端部
４ｂ    第２の端部
１０    筆記具
【図１】
2011020324.tif 000003
【図２】
2011020324.tif 000004
【図３】
2011020324.tif 000005
【図４】
2011020324.tif 000006
【図５】
2011020324.tif 000007
【図６】
2011020324.tif 000008
【図７】
2011020324.tif 000009
【図８】
2011020324.tif 000010